(57)【要約】  ユーザに対して強い没入感を与える。ヘッドマウントディスプレイ（１００）は、筐体（１）に、画像（Ｉ）を表示する表示部（２）、およびユーザが表示部（２）を見るためのレンズ（３ａ、３ｂ）を有しており、筐体（１）には、レンズ（３ａ、３ｂ）におけるユーザの眼と対向する対向面（３ａ−１、３ｂ−１）の周囲を照らすための光を発する発光部（４）が設けられている。
2018150722.tif 000002
【特許請求の範囲】
【請求項１】
筐体に、画像を表示する表示部、およびユーザが上記表示部を見るためのレンズを有しているヘッドマウントディスプレイにおいて、
上記筐体には、上記レンズにおける上記ユーザの眼と対向する対向面の周囲を照らすための光を発する発光部が設けられていることを特徴とするヘッドマウントディスプレイ。
【請求項２】
上記画像の色を解析し、解析結果に基づいて上記発光部が発する上記光の色を調整する発光色調整部を備えていることを特徴とする請求項１に記載のヘッドマウントディスプレイ。
【請求項３】
上記発光色調整部は、上記画像における端部領域の色を解析することを特徴とする請求項２に記載のヘッドマウントディスプレイ。
【請求項４】
上記筐体は、上記表示部を備えた情報処理装置を取付けることが可能であることを特徴とする請求項１から３のいずれか１項に記載のヘッドマウントディスプレイ。
【請求項５】
上記発光部は、上記筐体に複数設けられており、
複数の上記発光部が発光するだけで、上記対向面の周囲が上記光によって照らされることを特徴とする請求項１から４のいずれか１項に記載のヘッドマウントディスプレイ。
【請求項６】
上記筐体には、上記表示部が発する光を上記レンズにおける上記対向面の周囲まで導く導光板が、上記発光部として設けられていることを特徴とする請求項１に記載のヘッドマウントディスプレイ。
【発明の詳細な説明】
【技術分野】
【０００１】
本発明は、ヘッドマウントディスプレイに関する。
【背景技術】
【０００２】
近年、ＴＶ等のディスプレイ装置について、ユーザがより迫力のある映像を楽しめるように、表示領域を拡大する技術の研究・開発が盛んに行われている。例えば、特許文献１には、ディスプレイパネルの背面に設けられた光源から放射された光を、該ディスプレイパネルが取付けられた筐体の背面方向および／または側面方向へ照射する照射手段を備えたディスプレイ装置が開示されている。
【先行技術文献】
【特許文献】
【０００３】
【特許文献１】日本国公開特許公報「特開２０１１−３９２０４号公報（２０１１年２月２４日公開）」
【発明の概要】
【発明が解決しようとする課題】
【０００４】
しかしながら、特許文献１に開示された技術をヘッドマウントディスプレイに適用した場合、該ヘッドマウントディスプレイの筐体に設けられたレンズの周囲においては、光源から放射された光の反射光による間接照明効果がほとんど得られない。ここで、ユーザの視野角はレンズの形状・大きさ等によって制限されることから、特許文献１に開示された技術をヘッドマウントディスプレイに適用したとしても視野角を広くできず、ユーザに対して強い没入感を与えることができないという問題があった。【０００５】
本発明の一態様は、上記の問題点に鑑みてなされたものであり、その目的は、ユーザに対して強い没入感を与えることができるヘッドマウントディスプレイを実現することにある。
【課題を解決するための手段】
【０００６】
上記の課題を解決するために、本発明の一態様に係るヘッドマウントディスプレイは、筐体に、画像を表示する表示部、およびユーザが上記表示部を見るためのレンズを有しているヘッドマウントディスプレイにおいて、上記筐体には、上記レンズにおける上記ユーザの眼と対向する対向面の周囲を照らすための光を発する発光部が設けられている。
【発明の効果】
【０００７】
本発明の一態様によれば、発光部から放射される光によってレンズにおける対向面の周囲が照らされることにより、ユーザは強い没入感を得ることができる。
【図面の簡単な説明】
【０００８】
【図１】本発明の実施形態１に係るヘッドマウントディスプレイの概略構成を示す図である。
【図２】上記ヘッドマウントディスプレイの機能的構成を示す機能ブロック図である。
【図３】画像表示部の表示画面に表示された画像における解析対象領域の一例を示す図である。
【図４】上記ヘッドマウントディスプレイにおける、画面周囲色でのＬＥＤの点灯方法を示すフローチャートである。
【図５】本発明の実施形態２に係るヘッドマウントディスプレイの概略構成を示す図である。
【図６】本発明の実施形態３に係るヘッドマウントディスプレイの概略構成を示す図である。
【図７】上記ヘッドマウントディスプレイの機能的構成を示す機能ブロック図である。
【図８】上記ヘッドマウントディスプレイにおける、画面周囲色でのＬＥＤの点灯方法を示すフローチャートである。
【発明を実施するための形態】
【０００９】
〔実施形態１〕
＜ヘッドマウントディスプレイの概要＞
まず、図１に基づいて、本発明の一実施形態に係るヘッドマウントディスプレイ１００の概要について説明する。図１は、ヘッドマウントディスプレイ１００の概略構成を示す図である。
【００１０】
ヘッドマウントディスプレイ１００は、ユーザの頭部に装着可能な表示装置である。また図１に示すように、ヘッドマウントディスプレイ１００は、両眼型、かつ頭部に装着した状態でユーザの眼を完全に覆う没入型のヘッドマウントディスプレイである。後述のヘッドマウントディスプレイ２００・３００についても同様である。
【００１１】
具体的には、ヘッドマウントディスプレイ１００は、筐体１に画像表示部２（表示部）を有している。画像表示部２の表示画面は、画像データが書き込まれる複数の画素を含み、画像表示部２の背面に配置されたバックライト（不図示）から放射される光の透過量を画素毎に変化させることにより、画像データが示す画像Ｉ（図３参照）を表示画面に表示する。なお、本実施形態では、筐体１に１つの表示部（画像表示部２）が設けられている場合を例に挙げて説明しているが、本発明の一態様に係るヘッドマウントディスプレイは、筐体に複数の表示部が設けられているヘッドマウントディスプレイにも適用可能である。あるいは、バックライトを有しないディスプレイ（例えば、有機ＥＬディスプレイ）への適用も想定される。
【００１２】
また、筐体１の内部は第１導光板５で仕切られており、第１導光板５におけるユーザの右眼と対向する領域には右眼用レンズ３ａ（レンズ）が配置されている。一方、第１導光板５におけるユーザの左眼と対向する領域には左眼用レンズ３ｂ（レンズ）が配置されている。右眼用レンズ３ａは、ユーザが画像表示部２の表示画面に表示された画像Ｉを右眼で見るためのレンズであり、左眼用レンズ３ｂは、ユーザが上記画像Ｉを左眼で見るためのレンズである。第１導光板５は、後述のＬＥＤ４から放射された光を右眼用レンズ３ａおよび左眼用レンズ３ｂの周囲まで導く。
【００１３】
また、第１導光板５の短手方向の端部のそれぞれには、ＬＥＤ４（発光部）が配置されている。右眼用レンズ３ａ側の上記端部にＬＥＤ４が配置されることにより、右眼用レンズ３ａにおけるユーザの右眼と対向する第１対向面３ａ−１（対向面）の周囲が、ＬＥＤ４から放射される光によって照らされる。また、左眼用レンズ３ｂ側の上記端部にＬＥＤ４が配置されることにより、左眼用レンズ３ｂにおけるユーザの左眼と対向する第２対向面３ｂ−１（対向面）の周囲が、ＬＥＤ４から放射される光によって照らされる。２つのＬＥＤ４のそれぞれから放射される光の色は、後述の発光色決定部１０によって調整される。
【００１４】
なお、上述のＬＥＤ４の配置・個数はあくまで一例であり、右眼用レンズ３ａの第１対向面３ａ−１の周囲、および左眼用レンズ３ｂの第２対向面３ｂ−１の周囲を照らすことができるのであれば、ＬＥＤ４の配置・個数は任意に変更してもよい。また、ＬＥＤ４に代えて別の光源を用いてもよい。
【００１５】
また、後述の解析対象領域をより広い範囲に設定すべく、多数のＬＥＤ４をそれぞれ筐体１の内部における所望の位置に配置してもよい。これにより、ユーザはより強い没入感・臨場感を得ることができる。この場合、ＬＥＤ４の個数によっては、ＬＥＤ４の発光のみによって右眼用レンズ３ａの第１対向面３ａ−１の周囲、および左眼用レンズ３ｂの第２対向面３ｂ−１の周囲を照らすことが可能となり、第１導光板が不要となる（不図示）。
【００１６】
言い換えれば、ＬＥＤ４が筐体１の内部に多数（複数）設けられることにより、該多数のＬＥＤ４が発光するだけで、右眼用レンズ３ａの第１対向面３ａ−１の周囲、および左眼用レンズ３ｂの第２対向面３ｂ−１の周囲が、ＬＥＤ４から放射された光によって照らされることとなる。
【００１７】
＜ヘッドマウントディスプレイの機能的構成＞
次に、図２および図３に基づいて、ヘッドマウントディスプレイ１００の機能的構成について説明する。図２は、ヘッドマウントディスプレイ１００の機能的構成を示す機能ブロック図である。図３は、画像表示部２の表示画面に表示された画像Ｉにおける解析対象領域Ｆ１・Ｆ２の一例を示す図である。
【００１８】
図２に示すように、ヘッドマウントディスプレイ１００は制御部２０を備えている。制御部２０は、ヘッドマウントディスプレイ１００の各部を統括して制御する回路である。また、制御部２０は、画像表示部２の表示画面に表示させるための画像データを生成する。生成した画像データは、制御部２０に内蔵されているＶＲＡＭ（Video Random Access Memory）２１に一旦記憶される。そして、ＶＲＡＭ２１から画像データを読み出し、所定のタイミングで画像データを画像表示部２に転送する。
【００１９】
画像データがＶＲＡＭ２１から画像表示部２に転送されることで、画像表示部２の表示画面に画像データが書き込まれ、表示画面に画像Ｉ（図３参照）が表示される。
【００２０】
さらに、制御部２０は、画像表示部２の画像データ書き込み動作やバックライトの点灯／消灯動作を制御する。但し、これらの動作制御は、画像表示部２側で行われてもよい。
【００２１】
なお、制御部２０はヘッドマウントディスプレイ１００に内蔵されてもよいし、該ヘッドマウントディスプレイ１００に取付けられた外部装置であってもよい。また例えば、制御部２０は、ヘッドマウントディスプレイ１００が備える通信部（不図示）を介して利用するネットワークサーバーであっても構わない。
【００２２】
また、制御部２０は、色解析部６および発光色決定部１０（ともに発光色調整部）を備えている。色解析部６は、画像表示部２の表示画面に表示される画像Ｉの色を解析する。具体的には、色解析部６は、ＶＲＡＭ２１に記憶された画像Ｉの画像データを読み出し、該画像データのうち、解析対象領域Ｆ１・Ｆ２を構成する画像部分に対応する画像データの各ドットの色をＲＧＢ成分に分解する。そして、前記各ドットについて、それぞれの色成分（Ｒ成分、Ｇ成分、Ｂ成分）の輝度値を測定することで、画像Ｉの画像データの色を解析する。解析結果は発光色決定部１０に送信される。
【００２３】
ここで、解析対象領域Ｆ１・Ｆ２とは、色解析部６が画像Ｉの色を解析する際の解析対象となる、画像Ｉ中の特定の領域を指す。本実施形態では、図３に示すように、画像Ｉにおいて紙面向かって右側の端部領域が解析対象領域Ｆ１となり、紙面向かって左側の端部領域が解析対象領域Ｆ２となる。なお、図３に示す解析対象領域Ｆ１・Ｆ２はあくまで一例であり、レンズと光源（発光部）との相対位置や光源の個数に応じて、適宜、適切な位置・形状・大きさの解析対象領域を設定することができる。
【００２４】
発光色決定部１０は、画像表示部２の表示画面に表示される画像Ｉの色に係る解析結果を受信することにより、該解析結果に応じてＬＥＤ４が発する光の色である画面周囲色を決定する。具体的には、発光色決定部１０は、色解析部６から解析結果を受信することにより、解析対象領域Ｆ１・Ｆ２を構成する画像部分に対応する画像データについて、各ドットの色成分の輝度値の総和を色成分毎に算出する。そして、前記色成分の輝度値の総和をドット数で除して平均値を算出することにより、発光色決定部１０は、色成分毎の輝度値の平均値の組合せで表される色を画面周囲色として決定する。さらに、発光色決定部１０は、ＬＥＤ４から発する光の色が画面周囲色となるように該ＬＥＤ４の点灯を制御する。
【００２５】
この発光色決定部１０と上述の色解析部６とで、本発明の一態様に係る発光色調整部が構成される。上記発光色調整部は、画像表示部２の表示画面に表示された画像Ｉの色を解析し、解析結果に基づいてＬＥＤ４が発する光の色を調整する。
【００２６】
なお、発光色決定部１０による画面周囲色の決定方法は上述の場合に限定されない。例えば発光色決定部１０は、解析対象領域Ｆ１・Ｆ２を構成する画像部分に対応する各ドットの色の輝度値について、その頻度値をヒストグラムにより算出し、最も頻度値が高い輝度値で表される色を画面周囲色として決定してもよい。この場合、例えば±５の輝度値の範囲を算出対象として設定し、その中央値を頻度値とする。
【００２７】
また、発光色決定部１０等によってＬＥＤ４が発する光の色を調整することは必須ではない。最低限、何らかの発光部が発する光によって右眼用レンズ３ａの第１対向面３ａ−１の周囲、および左眼用レンズ３ｂの第２対向面３ｂ−１の周囲が照らされればよい。
【００２８】
＜画面周囲色でのＬＥＤの点灯方法＞
次に、図４に基づいて、ヘッドマウントディスプレイ１００における、画面周囲色でのＬＥＤ４の点灯方法について説明する。図４は、ヘッドマウントディスプレイ１００における、画面周囲色でのＬＥＤ４の点灯方法を示すフローチャートである。
【００２９】
制御部２０によってＶＲＡＭに記憶された１フレームの画像データが画像表示部２に転送されると同時に（ステップＳ１０１：以下、ステップを省略する）、色解析部６は、表示画面に表示された画像Ｉの画像データのうち、解析対象領域Ｆ１・Ｆ２に対応する画像部分の画像データの色を解析する（Ｓ１０２）。解析結果は発光色決定部１０に送信される。ここで、１フレームの画像データとは、画像表示部２の表示画面に表示される１回分の画像データを指す。
【００３０】
次に、解析結果を受信した発光色決定部１０は、画像周囲色を決定し（Ｓ１０３）、ＬＥＤ４から発する光の色が画面周囲色となるように該ＬＥＤ４を点灯させる（Ｓ１０４）。このＳ１０１〜Ｓ１０４の処理を所定のフレーム数分繰り返すことにより、右眼用レンズ３ａの第１対向面３ａ−１の周囲、および左眼用レンズ３ｂの第２対向面３ｂ−１の周囲を画面周囲色の光で照らしつつ、全ての画像データが上記表示画面に表示される。
【００３１】
〔実施形態２〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００３２】
本実施形態に係るヘッドマウントディスプレイ２００は、画像表示部２を備えておらず、代わりに表示部５０ａを備えたスマートフォン５０を筐体１ａに取付けることが可能な点で、実施形態１に係るヘッドマウントディスプレイ１００と異なる。また、色解析部６および発光色決定部１０を備えておらず、代わりに第２導光板４ａを備えている点でも、実施形態１に係るヘッドマウントディスプレイ１００と異なる。
【００３３】
＜ヘッドマウントディスプレイの概要＞
図５に基づいて、本発明の一実施形態に係るヘッドマウントディスプレイ２００の概要について説明する。図５は、ヘッドマウントディスプレイ２００の概略構成を示す図である。
【００３４】
ヘッドマウントディスプレイ２００の筐体１ａの内部には、スマートフォン５０を収納できるとともに、収納した状態でスマートフォン５０の位置を固定できる程度の広さ・形状の空間（不図示）が形成されている。また、筐体１ａの側面にはスマートフォン５０を挿入できる程度の大きさ・形状の開口部（不図示）が形成されており、上記空間と開口部とが連通している。
【００３５】
そして、収納した状態においてスマートフォン５０の表示部５０ａが右眼用レンズ３ａおよび左眼用レンズ３ｂのそれぞれと対向するように上記開口部からスマートフォン５０を挿入する。これにより、図５に示すような状態でスマートフォン５０が筐体１ａに取付けられる。すなわち、ヘッドマウントディスプレイ２００は、いわゆるスロットインタイプのヘッドマウントディスプレイである。なお、筐体１ａのその他の構造は実施形態１に係る筐体１と同様である。
【００３６】
スマートフォン５０（情報処理装置）は、パーソナルコンピュータ・ＰＤＡ（PersonalDigital Assistant：携帯情報端末）等の機能を併せ持った多機能の携帯電話機である。また、スマートフォン５０の表示部５０ａは、タッチパネルおよび表示処理を行う回路等を有し、タッチパネルの表示面に画像Ｉ（図３参照）およびカーソル等を表示させる。なお、本実施形態では、筐体１ａにスマートフォン５０を取付ける場合を例に挙げて説明しているが、ヘッドマウントディスプレイ２００は、携帯型ゲーム機など表示部を備える何らかの情報処理装置を筐体１ａに取付けて使用するものであればよい。
【００３７】
また、筐体１ａの内部における、表示部５０ａの短手方向の端部と対向する位置には、それぞれ矩形の第２導光板４ａ（導光板）が配置されている。一方の第２導光板４ａは、タッチパネルの表示面に表示された画像Ｉのうち、解析対象領域Ｆ１（図３参照）を構成する画像部分の光を右眼用レンズ３ａの第１対向面３ａ−１の周囲まで導くための部材である。他方の第２導光板４ａは、上記画像Ｉのうち、解析対象領域Ｆ２（図３参照）を構成する画像部分の光を左眼用レンズ３ｂの第２対向面３ｂ−１の周囲まで導くための部材である。
【００３８】
第２導光板４ａの一端は第１導光板５と連結しており、第２導光板４ａの一端まで導かれた光は、第１導光板５によってさらに右眼用レンズ３ａの第１対向面３ａ−１の周囲、および左眼用レンズ３ｂの第２対向面３ｂ−１の周囲まで導かれる。タッチパネルの表示面に表示された画像Ｉの光は、第２導光板４ａによってその一端まで導かれる過程で自然に色が調整される。すなわち、第２導光板４ａは、その一端から画像周囲色の光が放射される発光部として機能する。
【００３９】
なお、上述の第２導光板４ａの配置・個数・形状はあくまで一例である。すなわち、右眼用レンズ３ａの第１対向面３ａ−１の周囲、および左眼用レンズ３ｂの第２対向面３ｂ−１の周囲を照らすことができるのであれば、第２導光板４ａの配置・個数・形状は任意に変更してもよい。
【００４０】
（変形例）
本実施形態に係る筐体１ａの構成、すなわち色解析部６および発光色決定部１０の代わりに第２導光板４ａが設けられている構成は、実施形態１に係る筐体１のような、予め表示部を有している筐体に適用してもよい。
【００４１】
例えば、実施形態１に係る筐体１において、色解析部６および発光色決定部１０の代わりに２つの第２導光板４ａを筐体１の内部に設けた場合（不図示）、一方の第２導光板４ａは、画像表示部２の表示画面に表示された画像Ｉのうち、解析対象領域Ｆ１を構成する画像部分の光を右眼用レンズ３ａの第１対向面３ａ−１の周囲まで導く。他方の第２導光板４ａは、画像表示部２の表示画面に表示された画像Ｉのうち、解析対象領域Ｆ２を構成する画像部分の光を左眼用レンズ３ｂの第２対向面３ｂ−１の周囲まで導く。
【００４２】
〔実施形態３〕
本発明の他の実施形態について、図６〜図８に基づいて説明すれば、以下のとおりである。なお、説明の便宜上、前記実施形態にて説明した部材と同じ機能を有する部材については、同じ符号を付記し、その説明を省略する。
【００４３】
＜ヘッドマウントディスプレイの概要＞
図６に基づいて、本発明の一実施形態に係るヘッドマウントディスプレイ３００の概要について説明する。図６は、ヘッドマウントディスプレイ３００の概略構成を示す図である。
【００４４】
図６に示すように、ヘッドマウントディスプレイ３００は、ヘッドマウントディスプレイ２００と同様に、スマートフォン５０を筐体１ｂに取付けることが可能なスロットインタイプのヘッドマウントディスプレイである。また、筐体１ｂの内部には、実施形態２に係る筐体１ａと異なり第２導光板４ａが配置されておらず、代わりにカラーセンサ６ａ（発光色調整部）および発光色決定部１０（図６では不図示）が配置されている。さらに、筐体１ｂの内部にはＬＥＤ４が配置されている。
【００４５】
カラーセンサ６ａは、筐体１ｂの内部における、スマートフォン５０の表示部５０ａの短手方向の端部と対向する位置に配置されており、表示部５０ａの表示面に表示された画像Ｉの色を解析する。具体的には、カラーセンサ６ａはカラーフィルタとフォトダイオードとが組み合わさっており、画像Ｉを構成する複数のドットのうち、解析対象領域Ｆ１・Ｆ２を構成する画像部分に対応する各ドットの色をカラーフィルタによってＲＧＢ成分に分解する。そして、上記各ドットについて、それぞれの色成分（Ｒ成分、Ｇ成分、Ｂ成分）の輝度値をフォトダイオードで検知する。解析結果（フォトダイオードでの検知結果）は発光色決定部１０に送信される。
【００４６】
カラーセンサ６ａの配置・個数については、スマートフォン５０の表示部５０ａの表示面に表示された画像Ｉの色を検知できる範囲で任意に変更してもよい。また、カラーセンサ６ａに代えて、例えば分光センサを配置してもよい。すなわち、表示部５０ａの表示面に表示された画像Ｉの色を解析できるのであれば、どのようなセンサを用いてもよい。
【００４７】
なお、筐体１ｂのその他の構造は、実施形態１に係る筐体１および実施形態２に係る筐体１ａと同様である。また、ＬＥＤ４の配置・個数は、実施形態１に係る筐体１と同様である。
【００４８】
＜ヘッドマウントディスプレイの機能的構成＞
次に、図７に基づいて、ヘッドマウントディスプレイ３００の機能的構成について説明する。図７は、ヘッドマウントディスプレイ３００の機能的構成を示す機能ブロック図である。
【００４９】
図７に示すように、ヘッドマウントディスプレイ３００は制御部２０ａを備えている。制御部２０ａは、ヘッドマウントディスプレイ３００の各部を統括して制御する回路である。但し、制御部２０ａは実施形態１に係る制御部２０と異なり、画像データの生成および該画像データの表示部５０ａへの転送は行わない。
【００５０】
画像データの生成はスマートフォン５０側で行われ、生成された画像データはスマートフォン５０に内蔵されたＶＲＡＭ５０ｂに一旦記憶される。そして、画像データがＶＲＡＭ５０ｂから表示部５０ａに転送されることで該表示部５０ａの表示面に画像データが書き込まれ、表示面に画像Ｉ（図３参照）が表示される。
【００５１】
また、制御部２０ａは、実施形態１に係る制御部２０と同様に発光色決定部１０を備えている。発光色決定部１０は、カラーセンサ６ａから受信した、表示部５０ａの表示面に表示された画像Ｉの色に係る解析結果に基づいて、画面周囲色を決定する。発光色決定部１０による（i）画面周囲色の決定方法および（ii）ＬＥＤ４の点灯制御は、実施形態１の場合と同様である。
【００５２】
＜画面周囲色でのＬＥＤの点灯方法＞
次に、図８に基づいて、ヘッドマウントディスプレイ３００における、画面周囲色でのＬＥＤ４の点灯方法について説明する。図８は、ヘッドマウントディスプレイ３００における、画面周囲色でのＬＥＤ４の点灯方法を示すフローチャートである。
【００５３】
スマートフォン５０側において、ＶＲＡＭ５０ｂによって１フレームの画像データが表示部５０ａに転送され、該画像データが表示部５０ａの表示面（具体的には、複数の画素）に書き込まれると（Ｓ２０１）、カラーセンサ６ａは、表示面に表示された画像Ｉのうち、解析対象領域Ｆ１・Ｆ２に対応する画像部分の色を解析する（Ｓ２０２）。解析結果は発光色決定部１０に送信される。
【００５４】
次に、解析結果を受信した発光色決定部１０は、画像周囲色を決定し（Ｓ２０３）、ＬＥＤ４から発する光の色が画面周囲色となるように該ＬＥＤ４を点灯させる（Ｓ２０４）。
【００５５】
〔ソフトウェアによる実現例〕
ヘッドマウントディスプレイ１００・３００の制御ブロック（特に色解析部６、発光色決定部１０および制御部２０）は、集積回路（ＩＣチップ）等に形成された論理回路（ハードウェア）によって実現してもよいし、ＣＰＵ（Central Processing Unit）を用いてソフトウェアによって実現してもよい。
【００５６】
後者の場合、ヘッドマウントディスプレイ１００・３００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５７】
〔まとめ〕
本発明の態様１に係るヘッドマウントディスプレイ（１００、２００、３００）は、筐体（１、１ａ、１ｂ）に、画像（Ｉ）を表示する表示部（画像表示部２、５０ａ）、およびユーザが上記表示部を見るためのレンズ（右眼用レンズ３ａ、左眼用レンズ３ｂ）を有しているヘッドマウントディスプレイにおいて、上記筐体には、上記レンズにおける上記ユーザの眼と対向する対向面（第１対向面３ａ−１、第２対向面３ｂ−１）の周囲を照らすための光を発する発光部（ＬＥＤ４、第２導光板４ａ）が設けられている。
【００５８】
上記構成によれば、発光部から放射される光によってレンズにおける対向面の周囲が照らされることから、レンズの形状・大きさ等によって制限されていたユーザの視野角を疑似的に広げることができる。それゆえ、ユーザは、本発明に係るヘッドマウントディスプレイを装着することによって、強い没入感を得ることができる。
【００５９】
本発明の態様２に係るヘッドマウントディスプレイ（１００、３００）は、上記態様１において、上記画像の色を解析し、解析結果に基づいて上記発光部が発する上記光の色を調整する発光色調整部（色解析部６、カラーセンサ６ａ、発光色決定部１０）を備えていてもよい。
【００６０】
上記構成によれば、発光色調整部は、表示部に表示された画像の色を解析することにより、発光部が発する光の色を画像と調和するように調整することができる。それゆえ、ユーザは、没入感とともに強い臨場感を得ることができる。
【００６１】
本発明の態様３に係るヘッドマウントディスプレイは、上記態様２において、上記発光色調整部は、上記画像における端部領域（解析対象領域Ｆ１およびＦ２）の色を解析してもよい。上記構成によれば、発光色調整部は、表示部に表示された画像における端部領域の色を解析することにより、発光部が発する光の色を画像中の背景と調和するように調整することができる。それゆえ、ユーザは、没入感とともにより一層の臨場感を得ることができる。
【００６２】
本発明の態様４に係るヘッドマウントディスプレイ（２００、３００）は、上記態様１から３のいずれかにおいて、上記筐体（１ａ、１ｂ）は、上記表示部（５０ａ）を備えた情報処理装置（スマートフォン５０）を取付けることが可能であってもよい。上記構成によれば、筐体に表示部を備えた情報処理装置を取付けて使用するタイプのヘッドマウントディスプレイについても、ユーザは強い没入感を得ることができる。
【００６３】
本発明の態様５に係るヘッドマウントディスプレイ（１００、３００）は、上記態様１から４のいずれかにおいて、発光部は、上記筐体に複数設けられており、複数の上記発光部が発光するだけで、上記対向面の周囲が上記光によって照らされてもよい。
【００６４】
上記構成によれば、複数の発光部が発光するだけでレンズの対向面の周囲が光によって照らされることから、複数の発光部から放射された光をレンズの対向面の周囲まで導くための部材が不要となる。また、発光部の個数を増やすことによって、ユーザの視野角を疑似的により精細に広げることができる。それゆえ、簡易な構造でユーザにより強い没入感を与えることができるヘッドマウントディスプレイを実現することができる。
【００６５】
本発明の態様６に係るヘッドマウントディスプレイ（２００）は、上記態様１において、上記筐体には、上記表示部が発する光を上記レンズにおける上記対向面の周囲まで導く導光板（第２導光板４ａ）が、上記発光部として設けられていてもよい。
【００６６】
上記構成によれば、表示部が発する光が導光板によって導かれる過程で、該光の色は、画像と調和するように自然に調整される。したがって、ＬＥＤ等の発光体や該発光体を点灯させるための電源などを筐体に設けることなく、ユーザの視野角を疑似的に広げることができる。それゆえ、ヘッドマウントディスプレイを簡易な構造にしてコスト削減を図りつつ、ユーザにより強い没入感・臨場感を与えることができる。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６８】
１、１ａ、１ｂ          筐体
２                      画像表示部（表示部）
３ａ                    右眼用レンズ（レンズ）
３ａ−１                第１対向面（対向面）
３ｂ                    左眼用レンズ（レンズ）
３ｂ−１                第２対向面（対向面）
４                      ＬＥＤ（発光部）
４ａ                    第２導光板（導光板）
６                      色解析部（発光色調整部）
６ａ                    カラーセンサ（発光色調整部）
１０                    発光色決定部（発光色調整部）
５０                    スマートフォン（情報処理装置）
５０ａ                  表示部
１００、２００、３００  ヘッドマウントディスプレイ
Ｆ１、Ｆ２              解析対象領域（端部領域）
Ｉ                      画像
【図１】
2018150722.tif 000003
【図２】
2018150722.tif 000004
【図３】
2018150722.tif 000005
【図４】
2018150722.tif 000006
【図５】
2018150722.tif 000007
【図６】
2018150722.tif 000008
【図７】
2018150722.tif 000009
【図８】
2018150722.tif 000010
【国際調査報告】
2018150722.tif 000011
2018150722.tif 000012
2018150722.tif 000013
2018150722.tif 000014